(57)【要約】【課題】経鼻内視鏡用の前処置を効率化して患者の負担を軽減できる経鼻内視鏡用前処置具を提供する。【解決手段】経鼻内視鏡用前処置具１は、複数のスリット孔４を有する小径チューブ２と、小径チューブ２より短く、小径チューブ２をその前端側が突出する所定位置まで挿入可能な大径チューブ３とを備え、小径チューブ２が大径チューブ３に挿入されたとき、小径チューブ２の凹部６ａに大径チューブ３の凸部１１ａが嵌合し、小径チューブ２内に注入される薬液が、最も後方のスリット孔４から大径チューブ３の側孔８及び貫通孔３ａを経て漏出するように構成される。【選択図】図１
2015073639.tif 000002
【特許請求の範囲】
【請求項１】
経鼻内視鏡を用いるに先立って鼻腔に挿入され、所定の処置を行うために用いられる経鼻内視鏡用前処置具であって、
後端部から注入される薬液を鼻腔内に塗布するために長さ方向の所定範囲にわたって複数の開口孔が設けられ、先端部が閉塞された小径チューブと、
前記小径チューブより短く、該小径チューブをその前端側から、該前端側が突出する所定位置まで、後端側から挿入可能な大径チューブとを備え、
前記小径チューブ及び前記大径チューブの後端部には、前記小径チューブを前記大径チューブに前記所定位置まで挿入したときに該小径チューブ及び該大径チューブを周方向に位置合せするための位置合せ部が設けられ、
前記大径チューブの前端側には、その側壁を貫通する側孔が設けられ、
前記小径チューブ及び前記大径チューブは、前記位置合せがなされた状態において、前記複数の開口孔のうちの一部が前記大径チューブの内側に位置し、かつ該一部の開口孔と前記側孔との周方向位置の差が所定範囲内となるように構成され、
前記位置合せがなされた状態における前記一部の開口孔が存在する位置から前記側孔が存在する位置までを含む前後方向の範囲において、前記大径チューブは、前記小径チューブの外径よりも大きな所定の内径を有することを特徴とする経鼻内視鏡用前処置具。
【請求項２】
前記一部の開口孔は、前記複数の開口孔のうちの最も後方のものであり、
前記小径チューブ及び前記大径チューブは、前記位置合せが行われたとき、前記側孔は、前記最も後方の開口孔よりも後方に位置し、
前記位置合せがなされた状態における前記大径チューブの前端から前記側孔が存在する位置までを含む前後方向の範囲において、前記大径チューブは、前記所定の内径を有することを特徴とする請求項１に記載の経鼻内視鏡用前処置具。
【請求項３】
前記大径チューブの後端部には、該大径チューブが鼻腔内に入り過ぎるのを防止する過挿入防止プレートが設けられることを特徴とする請求項１又は２に記載の経鼻内視鏡用前処置具。
【発明の詳細な説明】
【技術分野】
【０００１】
本発明は、経鼻内視鏡を用いるに先立って鼻腔に挿入され、麻酔薬塗布等の処置を行うために用いられる経鼻内視鏡用前処置具に関する。
【背景技術】
【０００２】
従来、このような経鼻内視鏡用前処置具として、後端部から注入される麻酔薬を鼻腔内に塗布するために、前端側に複数の開口孔を有する本体チューブを備えたものが知られている（例えば、特許文献１参照）。本体チューブの長さは、１０〜１５［ｃｍ］程度である。特許文献１のものにおいては、複数の開口孔は、本体チューブの前端部近傍における数センチメートルの範囲にわたって設けられる。
【０００３】
この経鼻内視鏡用前処置具においては、前処置に際し、本体チューブが鼻孔内に挿入され、本体チューブの後端部にシリンジのノズルが接続される。そして、シリンジ内のゼリー状の麻酔剤が本体チューブ内に押し出され、その麻酔剤が、本体チューブの開口孔を経て、鼻腔に塗布される。
【先行技術文献】
【特許文献】
【０００４】
【特許文献１】特開２００９−５０５４３号公報
【発明の概要】
【発明が解決しようとする課題】
【０００５】
しかしながら、このような従来の経鼻内視鏡用前処置具は、本体チューブの太さが一定である。このため、経鼻内視鏡を用いるに先立って鼻腔を適切に拡張する必要がある場合には、本体チューブの太さが異なる経鼻内視鏡用前処置具が複数用意される。そして、本体チューブの細い経鼻内視鏡用前処置具が始めに挿入され、その後、これを抜去してから、本体チューブの太いものが再度挿入される。
【０００６】
これによれば、本体チューブを複数回挿入する必要がある。このことは、経鼻内視鏡用の前処置を煩雑にしている。また、本体チューブが複数回挿入されると、患者が受ける負担も大きい。
【０００７】
本発明の目的は、かかる従来技術の課題に鑑み、経鼻内視鏡用の前処置を効率化して患者の負担を軽減できる経鼻内視鏡用前処置具を提供することにある。
【課題を解決するための手段】
【０００８】
本発明の経鼻内視鏡用前処置具は、経鼻内視鏡を用いるに先立って鼻腔に挿入され、所定の処置を行うために用いられる経鼻内視鏡用前処置具であって、後端部から注入される薬液を鼻腔内に塗布するために長さ方向の所定範囲にわたって複数の開口孔が設けられ、先端部が閉塞された小径チューブと、前記小径チューブより短く、該小径チューブをその前端側から、該前端側が突出する所定位置まで、後端側から挿入可能な大径チューブとを備え、前記小径チューブ及び前記大径チューブの後端部には、前記小径チューブを前記大径チューブに前記所定位置まで挿入したときに該小径チューブ及び該大径チューブを周方向に位置合せするための位置合せ部が設けられ、前記大径チューブの前端側には、その側壁を貫通する側孔が設けられ、前記小径チューブ及び前記大径チューブは、前記位置合せがなされた状態において、前記複数の開口孔のうちの一部が前記大径チューブの内側に位置し、かつ該一部の開口孔と前記側孔との周方向位置の差が所定範囲内となるように構成され、前記位置合せがなされた状態における前記一部の開口孔が存在する位置から前記側孔が存在する位置までを含む前後方向の範囲において、前記大径チューブは、前記小径チューブの外径よりも大きな所定の内径を有することを特徴とする。
【０００９】
本発明の構成において、経鼻内視鏡用の前処置を、薬液として麻酔薬を用いて行う際には、上述のように大径チューブに小径チューブが挿入及び位置合せされ、挿入部分に麻酔薬が塗布された状態の経鼻内視鏡用前処置具が患者の鼻腔に挿入される。
【００１０】
このとき、鼻腔内には、まず、大径チューブの前端から突出した小径チューブの前端側の部分が挿入され、その後、小径チューブと大径チューブとが重複した部分が挿入される。この挿入は、大径チューブの中間部程度まで行われる。したがって、この挿入は、患者に負担をかけることなく、無理なく行われる。
【００１１】
この後、鼻腔内に挿入された小径チューブの後端部にシリンジが接続され、シリンジ内の麻酔薬が小径チューブに注入され、１分程度放置される。これにより、小径チューブの各開口孔から麻酔薬が鼻腔内に漏出し、鼻腔壁に塗布される。すなわち、１次麻酔が行われる。
【００１２】
このとき、小径チューブの一部の開口孔が大径チューブの内側に位置しているが、小径チューブに注入される薬液が、該一部の開口孔から小径チューブと大径チューブとの間の隙間を経て大径チューブの側孔から漏出する。これにより、大径チューブの側孔からも、例えば中鼻道へ支障なく麻酔薬が供給される。
【００１３】
したがって、本発明によれば、鼻腔内の適切な部分、すなわち経鼻内視鏡用前処置具の挿入経路における最も狭い部分である中鼻道から後鼻孔にかけて麻酔薬を効果的に塗布することができる。
【００１４】
この後、経鼻内視鏡用前処置具は、さらに大径チューブの後端部まで挿入される。これにより、鼻腔が拡張される。これと同時に小径チューブが大径チューブから引き抜かれる。そして、数分放置される。すなわち、２次麻酔が行われる。この後、大径チューブが引き抜かれ、前処置が完了する。
【００１５】
ここで、１次麻酔に際して鼻腔内の適切な部分に麻酔薬を塗布するためには、小径チューブの開口孔が、必要な長さ方向の範囲において配置される必要がある。また、２次麻酔に際して必要な部分まで鼻腔の拡張が行われるように、大径チューブは、ある程度の長さを有することが必要とされる。このため、１時麻酔に際しては、小径チューブの開口孔のうちの一部と、大径チューブの前端側とが位置的に重複し、該一部の開口孔が大径チューブの内側に位置する。
【００１６】
この点、本発明では、小径チューブ及び大径チューブは、小径チューブ内の薬液が、該一部の開口孔から大径チューブの側孔を経て漏出するように構成されている。したがって、開口孔のうちの一部と大径チューブとが位置的に重複しているにも拘らず、支障なく、鼻腔内の適切な個所へ薬液を塗布することができる。
【００１７】
このように、本発明によれば、１時麻酔に際しては、経鼻内視鏡用前処置具は、大径チューブに小径チューブを挿入した状態で所定位置まで鼻腔内に挿入される。しかも、鼻腔内の適切な個所に麻酔薬が塗布される。そして、２次麻酔に際しては、大径チューブの後端部まで鼻腔内に挿入されて適切な拡張が行われると同時に小径チューブが引き抜かれる。したがって、経鼻内視鏡用の前処置を支障なく効率的に行い、患者の負担を軽減することができる。
【００１８】
本発明において、前記一部の開口孔は、前記複数の開口孔のうちの最も後方のものであり、前記小径チューブ及び前記大径チューブは、前記位置合せが行われたとき、前記側孔は、前記最も後方の開口孔よりも後方に位置し、前記位置合せがなされた状態における前記大径チューブの前端から前記側孔が存在する位置までを含む前後方向の範囲において、前記大径チューブは、前記所定の内径を有してもよい。
【００１９】
これによれば、上述の１時麻酔に際し、最も後端側の開口孔が大径チューブの内側に位置している状態にあっても、小径チューブ内の薬液を、該最も後端側の開口孔から、大径チューブの側孔及び前端を経て、鼻腔内へ支障なく漏出させることができる。
【００２０】
その際、側孔は、該最も後方の開口孔よりも後方に位置するので、該開口孔からの薬液は、側孔からのみ漏出することはなく、側孔と大径チューブの前端とにほぼ均等に分配される。したがって、上述の中鼻道から後鼻孔にかけて麻酔薬をより効果的に塗布することができる。
【００２１】
また、このときに大径チューブの前端を経て鼻腔内へ漏出する麻酔薬は、該前端において大径チューブと小径チューブとの間に構成される環状の隙間の全周からほぼ均等に漏出する。このため、鼻腔内の該前端近傍の部分に対し、さらに効果的に麻酔薬を供給することができる。これにより、２次麻酔における大径チューブの後端部までの挿入を、よりスムーズに行うことができる。
【００２２】
また、本発明において、前記大径チューブの後端部には、該大径チューブが該鼻腔内に入り過ぎるのを防止する過挿入防止プレートが設けられてもよい。これによれば、鼻孔が標準よりも大きい場合でも、鼻腔内の奥まで大径チューブが入り過ぎるのを防止することができる。
【図面の簡単な説明】
【００２３】
【図１】本発明の一実施形態に係る経鼻内視鏡用前処置具の正面図である。
【図２】図１の経鼻内視鏡用前処置具の小径チューブの正面図である。
【図３】図１の経鼻内視鏡用前処置具の大径チューブの正面図である。
【図４】図３の大径チューブの大径側アダプタの前端側から見た正面図である。
【図５】図１の経鼻内視鏡用前処置具が鼻腔内に挿入される様子を示す図である。
【発明を実施するための形態】
【００２４】
以下、図面を用いて本発明の実施形態を説明する。実施形態の経鼻内視鏡用前処置具は、経鼻内視鏡を用いるに先立って、鼻腔に挿入され、所定の処置を行うために用いられる。所定の処置としては、例えば、鼻腔の内壁への麻酔薬の塗布や、鼻腔の拡張等が該当する。
【００２５】
図１に示すように、経鼻内視鏡用前処置具１は、後端部から麻酔薬が注入される小径チューブ２と、小径チューブ２の外側に嵌合される大径チューブ３とを備える。小径チューブ２の前端は閉じられている。
【００２６】
図２に示すように、小径チューブ２には、開口孔としてのスリット孔４が設けられる。スリット孔４は、小径チューブ２に対してその後端部から注入される麻酔薬を鼻腔内に塗布し得るように、小径チューブ２の長さ方向における所定範囲にわたって複数が設けられる。
【００２７】
ここでは、小径チューブ２における前端側からほぼ四分の一程度後端側へ移動した位置から中間点までの範囲わたって、８つのスリット孔４が設けられる。具体的には、この範囲内における長さ方向に等間で定められた４箇所の位置ａ〜ｄそれぞれにおいて、２つずつのスリット孔４が設けられる。各位置ａ〜ｄにおける２つのスリット孔４は、小径チューブ２の中心軸線に関して相互に対称な位置に配置される。
【００２８】
各スリット孔４の長さ方向は、小径チューブ２の長さ方向に一致する。位置ａ及びｃのスリット孔４の周方向位置は同一である。位置ｂ及びｄのスリット孔４の周方向位置も同一である。ただし、位置ａ及びｃのスリット孔４の周方向位置と、位置ｂ及びｄのスリット孔４の周方向位置は、相互に小径チューブ２の中心軸線を中心とする中心角で９０°異なる。
【００２９】
例えば、位置ａは、小径チューブ２の先端から３０［ｍｍ］の箇所に設定される。位置ａ、ｂ間、位置ｂ、ｃ間、位置ｃ、ｄ間の間隔はいずれも１０［ｍｍ］である。また、各スリット孔４の長さは２［ｍｍ］である。
【００３０】
小径チューブ２の後端部には、小径側アダプタ５が設けられる。小径側アダプタ５の前端側には、前端側が開放された筒状部６が設けられる。筒状部６には、小径チューブ２の前端方向に向いた２つの凹部６ａが、相互に小径チューブ２の中心軸線に関して対称な位置に設けられる。
【００３１】
２つの凹部６ａの周方向位置は、位置ｂ及びｄそれぞれの２つのスリット孔４の周方向位置に一致する。小径側アダプタ５の後端部は、図示していないシリンジのノズルを小径チューブ２に接続するための接続部７を構成する。
【００３２】
図３に示すように、大径チューブ３は、小径チューブ２より長さが短くて径が大きく、小径チューブ２を内側に挿入して貫通させることが可能となっている。大径チューブ３の前端には、小径チューブ２が大径チューブ３に挿入されるとき及び挿入後において、小径チューブ２を支持する貫通孔３ａが設けられる。貫通孔３ａと小径チューブ２との間には、小径チューブ２の挿入後においても貫通孔３ａと小径チューブ２との間から薬液が漏出できる程度の隙間が設けられる。
【００３３】
大径チューブ３のほぼ中間の位置には、経鼻内視鏡用前処置具１を鼻腔内に挿入するときの、挿入量の目安となる目盛り線Ｌが設けられる。また、大径チューブ３の内周面により、管路３ｂが構成される。大径チューブ３前端の周縁部は、大径チューブ３が鼻腔内へ滑らかに挿入されるように、面取りが施されている。
【００３４】
大径チューブ３の前端近傍には、その側壁を貫通した２つの側孔８が、相互に大径チューブ３の中心軸線に関して対称な位置に設けられる。大径チューブ３の後端部には、小径チューブ２との位置関係を定めるための大径側アダプタ９が設けられる。大径側アダプタ９の後端部は、小径チューブ２の筒状部６の内側に嵌合させるのに適した形状を有する。
【００３５】
大径側アダプタ９には、その軸線方向に貫通し、大径チューブ３の管路３ｂに接続した貫通孔１０が設けられる。貫通孔１０は、小径チューブ２が大径チューブ３に挿入されるとき及び挿入後において、小径チューブ２を支持する。
【００３６】
大径側アダプタ９の外周の後端側には、その軸線方向に延在する２つのリブ状部１１が、大径側アダプタ９の中心軸線に関して相互に対称な位置に設けられる。各リブ状部１１の後端部は、小径チューブ２の凹部６ａに対応する凸部１１ａを構成する。２つの凸部１１ａの周方向位置は、大径チューブ３の２つの側孔８の周方向位置に一致する。凹部６ａ及び凸部１１ａは、本発明おける位置合せ部に対応する。
【００３７】
したがって、大径側アダプタ９に対してその後端側から、小径チューブ２をその前端側から、凹部６ａに凸部１１ａが嵌合するまで挿入することにより、大径チューブ３と小径チューブ２との周方向における位置関係を決定することができる。このとき、大径側アダプタ９の後端部も、小径チューブ２の筒状部６の内側に嵌合する。これにより、図１に示すように、経鼻内視鏡用前処置具１は、小径チューブ２に大径チューブ３を装着した状態となる。
【００３８】
この状態において、小径チューブ２のスリット孔４のうちの最も後方に位置する位置ｄのスリット孔４の周方向位置は、大径チューブ３の側孔８の周方向位置に一致する。また、位置ｄのスリット孔４は、大径チューブ３の内側に位置してその内周面に対向し、かつ側孔８よりも前方に位置する。
【００３９】
この状態において、小径チューブ２及び大径チューブ３は、小径チューブ２に注入される麻酔薬が、位置ｄのスリット孔４から、小径チューブ２と大径チューブ３との間の隙間を経て側孔８及び大径チューブ３前端の貫通孔３ａから漏出するように構成される。
【００４０】
すなわち、凹部６ａ及び凸部１１ａの嵌合による位置合せが行われた状態において、大径チューブ３の前端から側孔８が存在する位置までを少なくとも含む前後方向の範囲において、大径チューブ３は、上記の隙間を形成すべく、小径チューブ２の外径よりも大きい所定の内径を有する。このとき、側孔８が位置ｄのスリット孔４よりも後方に位置するので、そのスリット孔４からの麻酔薬は、該隙間を介し、側孔８と貫通孔３ａの方にほぼ均等に分配される。
【００４１】
大径側アダプタ９のリブ状部１１の前端側に隣接する部分には、大径チューブ３が鼻腔内に挿入されたとき、該鼻腔内に入り過ぎるのを防止する過挿入防止プレート１２が設けられる。過挿入防止プレート１２の患者に接する側は、図４のように、直線状部分１３になっている。これにより、患者に違和感が生じるのを防止している。
【００４２】
麻酔薬としてキシロカインゼリーを用い、経鼻内視鏡用の前処置を行う際には、小径チューブ２の凹部６ａに大径チューブ３の凸部１１ａが嵌合された図１の状態の経鼻内視鏡用前処置具１における鼻腔への挿入部分に、キシロカインゼリーが塗布される。そして、図５に示すように、経鼻内視鏡用前処置具１が、その前端側から、患者の鼻腔１４内に、目盛り線Ｌの位置まで挿入される。
【００４３】
このとき、鼻腔１４内には、まず、大径チューブ３の前端から突出した小径チューブ２の前端側の部分が挿入され、その後、大径チューブ３の部分が目盛り線Ｌの位置まで挿入される。このため、鼻腔１４への経鼻内視鏡用前処置具１の挿入は、患者に負担をかけることなく、無理のない態様で行われる。
【００４４】
次に、小径チューブ２の小径側アダプタ５の接続部７に、図示していないシリンジが接続される。そして、シリンジ内のキシロカインゼリーが小径チューブ２に注入され、１分程度放置される。これにより、小径チューブ２の各スリット孔４からキシロカインゼリーが鼻腔１４内に漏出して鼻腔壁に塗布され、１次麻酔が行われる。
【００４５】
このとき、大径チューブ３の凹部６ａと小径チューブ２の凸部１１ａとが嵌合しているので、小径チューブ２の位置ｄのスリット孔４と大径チューブ３の側孔８との周方向位置も一致している（図１参照）。また、小径チューブ２と大径チューブ３との間には隙間が存在する。
【００４６】
このため、位置ｄのスリット孔４が大径チューブ３の内側に存在するにも拘わらず、そのスリット孔４から漏出するキシロカインゼリーは、小径チューブ２と大径チューブ３の間の隙間を経て、大径チューブ３の側孔８及び貫通孔３ａから支障なく鼻腔１４内へ供給される。
【００４７】
このときに貫通孔３ａから供給されるキシロカインゼリーは、貫通孔３ａと小径チューブ２との間の環状の隙間の全周からほぼ均等に漏出する。このため、鼻腔内の貫通孔３ａ近傍の部分に対し、さらに効果的に麻酔薬が供給される。これにより、次の２次麻酔における大径チューブ３の後端部までの挿入が、よりスムーズに行われる。
【００４８】
すなわち、大径チューブ３が、小径チューブ２をガイドとして、小径チューブ２上をスライドさせることにより、後端部まで挿入される。これにより、鼻腔１４内の必要な部分の拡張が行われる。これと同時に、小径チューブ２が大径チューブ３から引き抜かれる。そして、３〜５分程度放置される。これにより、２次麻酔が行われる。
【００４９】
２次麻酔が完了すると、大径チューブ３が鼻腔１４から引き抜かれ、経鼻内視鏡用の前処置が終了する。すなわち、経鼻内視鏡を使用できる状態となる。
【００５０】
以上のように、本実施形態によれば、１時麻酔に際しては、経鼻内視鏡用前処置具１が、大径チューブ３に小径チューブ２を挿入した状態で目盛り線Ｌまで鼻腔１４内に挿入される。そして、２次麻酔に際しては、大径チューブの後端部まで鼻腔１４内に挿入され、小径チューブ２が引き抜かれる。
【００５１】
したがって、大径のチューブと小径のチューブを用意し、これらを別個に挿入する場合に比べで、経鼻内視鏡用の前処置としての鼻腔１４へのキシロカインゼリーの塗布及び鼻腔１４の拡張を効率的に行うことができる。これにより、患者の負担を軽減することができる。
【００５２】
その際、位置ｄのスリット孔４と大径チューブ３とが位置的に重複しているにも拘らず、小径チューブ２内のキシロカインゼリーが、位置ｄのスリット孔４から大径チューブ３の側孔８及び貫通孔３ａを経て漏出し、支障なく、鼻腔１４内に供給することができる。
【００５３】
したがって、大径チューブ３を、鼻腔１４の拡張に必要な十分な長さを有するものとして構成しながら、鼻腔１４内の適切な位置にキシロカインゼリーを供給することができる。すなわち、効率的な経鼻内視鏡用の前処置を可能としながら、鼻腔１４内の経鼻内視鏡用前処置具１の挿入経路における最も狭い部分である中鼻道から後鼻孔にわたる領域１５（図５参照）に、キシロカインゼリーを効果的に塗布することができる。
【００５４】
また、大径チューブ３の後端部に過挿入防止プレート１２を設けたので、鼻孔が標準よりも大きい場合でも、鼻腔１４内の奥まで大径チューブ３が入るのを防止することができる。
【００５５】
なお、本発明は、上記実施形態に限定されない。例えば、小径チューブ２の開口孔としてのスリット孔４は、スリット状のものに限らず、他の形態の、例えば円形の開口孔であってもよい。また、位置合せ部として、凹部６ａ及び凸部１１ａの代わりに、位置合せ用のマークを採用してもよい。
【符号の説明】
【００５６】
１…経鼻内視鏡用前処置具、２…小径チューブ、３…大径チューブ、４…スリット孔（開口孔）、６ａ…凹部（位置合せ部）、８…側孔、１１ａ…凸部（位置合せ部）、１２…過挿入防止プレート、１４…鼻腔。
【図１】
2015073639.tif 000003
【図２】
2015073639.tif 000004
【図３】
2015073639.tif 000005
【図４】
2015073639.tif 000006
【図５】
2015073639.tif 000007